(57)【要約】【課題】所定の解除具を用いて蓋体を開くことができる状態と、解除具を用いずとも容易に蓋体を開閉できるようにした状態とを選択できる蓋体の開閉構造を提供する。【解決手段】蓋体４と、蓋体４を回動自在に支持する支持基材５と、支持基材５に設けられ、かつ、蓋体４を閉じたときに、この蓋体４を掛止する掛止部材３１と、を有する蓋体４の開閉構造であって、前記掛止部材３１は、所定の解除具３４を用いて蓋体４の掛止の解除が為される第１掛止部３６と、解除具３４を用いることなく蓋体４の掛止の解除が可能な第２掛止部３７とを有し、第１掛止部３６による蓋体４の掛止と第２掛止部３７による蓋体４の掛止とを選択可能に構成される。【選択図】図１
2010269804.tif 000002
【特許請求の範囲】
【請求項１】
蓋体と、蓋体を回動自在に支持する支持基材と、支持基材に設けられ、かつ、蓋体を閉じたときに、この蓋体を掛止する掛止部材と、を有する蓋体の開閉構造であって、
前記掛止部材は、所定の解除具を用いて蓋体の掛止の解除が為される第１掛止部と、解除具を用いることなく蓋体の掛止の解除が可能な第２掛止部とを有し、第１掛止部による蓋体の掛止と第２掛止部による蓋体の掛止とを選択可能に構成されてなることを特徴とする蓋体の開閉構造。
【請求項２】
前記蓋体は、前記第１掛止部及び第２掛止部を挿入可能な挿入孔を有し、第１掛止部は、挿入孔の内面に面接触可能な接触面を有するとともに解除具によって挿入孔から押し出されるように構成されてなる請求項１に記載の蓋体の開閉構造。
【請求項３】
前記蓋体は、前記第１掛止部及び第２掛止部を挿入可能な挿入孔を有し、第２掛止部は、第２掛止部による蓋体の掛止を解除すべく、蓋体を開く方向に引いたときにこの蓋体の掛止を解除できるように、挿入孔の内面にその一部が接触可能な接触面を有する請求項１に記載の蓋体の開閉構造。
【発明の詳細な説明】
【技術分野】
【０００１】
本発明は、蓋体の開閉構造に関する。
【背景技術】
【０００２】
従来、例えば、屋内の壁面に取り付けられるソープディスペンサは、内部に石鹸を収容可能なタンクを収容し、外部からこのタンクを操作して、所定量の石鹸をタンク外に吐出できるようになっている。
【０００３】
ソープディスペンサは、タンクに石鹸を補充する場合に取り外しが可能なように、このタンクを支持する支持基材（基板）と、この支持基材に対して開閉可能な蓋体とを備える。
【０００４】
ソープディスペンサは、通常使用時は、支持基材と蓋体との間の空間にタンクを収納するとともに、タンクに石鹸を補充する場合、又はタンクを交換する場合に、蓋体を支持基材から開くことができるようになっている。
【発明の概要】
【発明が解決しようとする課題】
【０００５】
ソープディスペンサは、例えば飲食店や公衆トイレ等の種々の施設の屋内壁面に取り付けられるが、取り付け場所によっては、ソープディスペンサの蓋体の開閉構造を変更することが必要になる。
【０００６】
例えば、ソープディスペンサが飲食店等に設けられる場合には、所有者がソープディスペンサの付近にいてタンクを頻繁に交換するために、蓋体の開閉を容易に行えるようにすることが望ましい。
【０００７】
他方、ソープディスペンサが例えば、公衆トイレのような場所に取り付けられる場合には、その所有者がソープディスペンサの付近におらず、監視する者もいないことから、ソープディスペンサの蓋体が第三者に勝手に開閉されないように、例えば、蓋体が閉じた状態を解除するような専用の解除具を用いて開閉させることが望ましい。
【０００８】
本発明は、このような事情に鑑みてなされたものであり、所定の解除具を用いて蓋体を開くことができる状態と、解除具を用いずとも容易に蓋体を開閉できるようにした状態とを選択できるようにした蓋体の開閉構造を提供することを課題とする。
【課題を解決するための手段】
【０００９】
本発明は上記の課題を解決するためのものであり、蓋体と、蓋体を回動自在に支持する支持基材と、支持基材に設けられ、かつ、蓋体を閉じたときに、この蓋体を掛止する掛止部材と、を有する蓋体の開閉構造であって、前記掛止部材は、所定の解除具を用いて蓋体の掛止の解除が為される第１掛止部と、解除具を用いることなく蓋体の掛止の解除が可能な第２掛止部とを有し、第１掛止部による蓋体の掛止と第２掛止部による蓋体の掛止とを選択可能に構成されてなることを特徴とする。
【００１０】
かかる構成によれば、例えば、公衆トイレのように、その所有者が常に近くにいないような場合には、第１掛止部によって、蓋体を掛止するとともに、この蓋体を開く場合には、第１掛止部による蓋体の掛止を所定の解除具によって解除するようにすれば、第３者による勝手な蓋体の開閉等を抑止することができる。
【００１１】
他方、飲食店のように、その所有者が近くにいる場合のように、第２掛止部によって蓋体を掛止すれば、解除具を用いることなく、蓋体を容易に開くことができ、この点で非常に便利である。
【００１２】
また、本発明に係る蓋体の開閉構造は、前記蓋体が、前記第１掛止部及び第２掛止部を挿入可能な挿入孔を有し、第１掛止部が、挿入孔の内面に面接触して蓋体を掛止する接触面を有するとともに解除具によって挿入孔から押し出されるように構成されていてもよい。
【００１３】
かかる構成によれば、第１掛止部は、その接触面が挿入口の内面に面接触することで、蓋体が外れないように確実に掛止することができるとともに、解除具によって、挿入孔から押し出されることで、その掛止を解除できる。すなわち、解除具を用いなければ蓋体を開くことができないため、例えば公衆トイレのような所有者が近くに常にいないような場所では、この第１掛止部による掛止が便利である。
【００１４】
また、本発明に係る蓋体の開閉構造は、前記蓋体が、前記第１掛止部及び第２掛止部を挿入可能な挿入孔を有し、第２掛止部が、第２掛止部による蓋体の掛止を解除すべく、蓋体を開く方向に引いたときにこの蓋体の掛止を解除できるように、挿入孔の内面にその一部が接触可能な接触面を有する構成を採用できる。
【００１５】
かかる構成によれば、第２掛止部は、解除具を用いることなく、蓋体を所定方向に引くだけで容易に掛止を解除できるため、例えば飲食店のような、その所有者が常に近くにいるような場所での使用に適している。
【発明の効果】
【００１６】
本発明によれば、所定の解除具を用いて蓋体を開くことができる状態と、解除具を用いずとも容易に蓋体を開閉できるようにした状態とを選択できる。
【図面の簡単な説明】
【００１７】
【図１】本発明に係る蓋体の開閉構造が適用されたソープディスペンサの分解図である。
【図２】ソープディスペンサの側面図である。
【図３】ソープディスペンサの平面図である。
【図４】図３のＡ−Ａ矢視線の断面図である。
【図５】第１掛止部が蓋体を掛止する状態を示す部分拡大断面図である。
【図６】第２掛止部が蓋体を掛止する状態を示す部分拡大断面図である。
【図７】蓋体の斜視図である。
【図８】（ａ）（ｂ）は掛止部材の斜視図である。
【図９】（ａ）は掛止部材の正面図であり、（ｂ）は掛止部材の背面図である。
【図１０】（ａ）は掛止部材の平面図であり、（ｂ）は掛止部材の底面図である。
【図１１】（ａ）は掛止部材の右側面図であり、（ｂ）は図９（ａ）のＡ−Ａ矢視線断面図である。
【図１２】図９（ａ）のＢ−Ｂ矢視線断面図である。
【発明を実施するための形態】
【００１８】
以下、本発明を実施するための形態について図面を参照しながら詳細に説明する。図１〜図７は、本発明に係る蓋体の開閉構造の一実施形態を示す。この実施形態では、蓋体の開閉構造がソープディスペンサ１に適用された例を示す。以下、このソープディスペンサ１の構成とともに蓋体の開閉構造について説明する。
【００１９】
ソープディスペンサ１は、図１に示すように、石鹸を収容するタンク２と、タンク２を操作するための操作部材３と、このタンク２を覆う蓋体４と、蓋体４及びタンク２を支持する支持基材５とを有する。
【００２０】
タンク２は、石鹸を収容するタンク本体２ａを有する。タンク本体２ａの側部には、上下方向に沿った溝部７が形成されている。溝部７は、タンク本体２ａの一方の側面と他方の側面の２箇所に形成される。
【００２１】
タンク本体２ａの上部には、石鹸を注入するための注入部８が形成されている。また、タンク本体２ａの下部には、操作部材３によって操作されることによりタンク本体２ａ内の石鹸を吐出する吐出部９が形成されている。吐出部９は、所定量の石鹸を計量する計量部１０と、計量された石鹸を下方に吐出させる吐出口部１１とを有する。
【００２２】
操作部材３は、弾性変形可能な長尺状の板部１２と、板部１２の一端部に形成されるとともに使用者によって操作される操作部１３とを有する。板部１２の他端部には、蓋体４に固定される固定部１４が形成されている。この固定部１４は、板部１２の厚さ方向に貫通する複数（図例では２つ）の貫通孔１５，１５を有する。
【００２３】
蓋体４は、上下に長い長尺状に形成されるとともに、支持基材５との間にタンク２を収容できるように、その内側に所定の広さの空間が形成されている。図１に示すように、蓋体４の下部には、操作部材３の操作部１３を露出させるための開口部２１が形成されている。
【００２４】
蓋体４の長手方向の一端部（上部）には、支持基材５に掛止される被掛止部が形成されている。この被掛止部は、蓋体４の厚さ方向に貫通する複数（図例では２つ）の貫通孔２２，２２となっている。この貫通孔２２，２２は、正面視において、その縁部分が四角形状になるように形成されている。
【００２５】
蓋体４の内面には、操作部材３を支持する複数（例えば２つ）の支持部２６，２６が設けられている。図４に示すように、支持部２６，２６は、蓋体４の内面から突出する筒部であり、その内部にねじ穴２６ａ，２６ａが形成されている。操作部材３は、その固定部１４に形成された貫通孔１５，１５を支持部２６，２６のねじ穴２６ａ，２６ａに一致させ、貫通孔１５，１５を介してボルト、ねじ等の固定部材の軸をねじ穴２６ａ，２６ａに螺合することで、蓋体４に固定・支持される。
【００２６】
支持基材５は、所定面積の板状に形成されている。この支持基材５は、蓋体４を掛止する掛止部材３１と、蓋体４を回動自在に支持する支持手段３２と、タンク２を保持する保持手段３３とを有する。
【００２７】
図１、図５、図６、図８〜図１２に示すように、掛止部材３１は、所定の解除具３４を用いて蓋体４の掛止の解除が為される複数（図例では２つ）の第１掛止部３６と、解除具３４を用いることなく蓋体４の掛止を解除できる複数（図例では２つ）の第２掛止部３７と、第１掛止部３６と第２掛止部３７とを連結する連結部３８と、を有する。
【００２８】
掛止部材３１は、支持基材５に形成された取付部３９に対して着脱自在に固定される。これにより、第１掛止部３６によって蓋体４を掛止可能な状態と、第２掛止部３７によって蓋体４を掛止可能な状態の２つの状態を選択できるように構成されている。
【００２９】
なお、蓋体４の開閉構造は、蓋体４と、支持基材５と、支持基材５に設けられる掛止部材３１及び支持手段３２によって主構成される。
【００３０】
第１掛止部３６は、図１、図５、図８〜図１２に示すように、連結部３８の側面から突出する第１突出部４１と、この第１突出部４１に対してほぼ垂直に、そして上下方向に突出する第２突出部４２とを有する。第２突出部４２には、蓋体４の被掛止部である貫通孔２２，２２に挿入される掛止爪部（以下「第１掛止爪部」という）４３が形成されている。なお、被掛止部の貫通孔を、第１掛止爪部４３が挿入される「挿入孔」という（前記貫通孔と前記挿入孔に共通符号２２を用いる）。
【００３１】
第１掛止爪部４３は、図２に示すように、先端に向かうにつれて先細り状に形成されている。この第１掛止爪部４３の下部には、正面視四角形状とされた挿入孔２２，２２の下側の面（以下「下面」という）２２ａに面接触可能な接触面（以下「第１接触面」という）４４が形成されている。この第１接触面４４は、第１掛止爪部４３が挿入孔２２，２２に挿入されたときに、挿入孔２２，２２の下面２２ａに接触できるように、蓋体４が閉じた状態における挿入孔２２，２２の下面２２ａと平行になるように形成されている。
【００３２】
図２に示すように、第１掛止部３６は、第１掛止爪部４３の第１接触面４４が挿入孔２２，２２の下面２２ａに面接触することから、この第１掛止爪部４３が蓋体４の挿入孔２２，２２に挿入された状態で、第１接触面４４の挿入孔２２，２２の下面２２ａへの面接触により確実な掛止が為され、蓋体４を掴んで開こうとしても開くことができない。
【００３３】
第１掛止部３６による蓋体４の掛止を解除するには、所定の解除具３４を使用する。この解除具３４は、図１に示すように、操作者が把持可能な把持部３４ａと、把持部３４ａから突出する複数（図例では２つ）の突起部３４ａを有する。本実施形態では、把持部３４ａは所定厚さの板状に形成されるとともに、その表面に滑り止めのための複数の突条部（又は凹凸部）３４ｃが形成されている。
【００３４】
各突起部３４ａ，３４ａは、その先端が蓋体４の被掛止部の各挿入孔２２，２２に挿入可能な大きさ（太さ）に形成されている。
【００３５】
解除具３４は、突起部３４ａを蓋体４の外側から挿入孔２２，２２に挿入して、挿入孔２２，２２に挿入されている第１掛止部３６の第１掛止爪部４３を挿入孔２２，２２から押し出すことによって、第１掛止部３６による蓋体４の掛止を解除できる。第１掛止部３６は、第１突出部４１と第２突出部４２とによってＬ字状に構成されており、解除具３４によって第１掛止爪部４３が押されたときに、この第１掛止爪部４３が後退できるように弾性変形することができる。
【００３６】
なお、第１掛止部３６の第１掛止爪部４３において、第１接触面４４の上側には、所定の角度で傾斜する平坦面状の傾斜面（以下「第１傾斜面」という）４３ａが形成されている。この第１傾斜面４３ａは、第１掛止部３６の先端向かうにつれて徐々に下方に傾斜するように形成される。
【００３７】
この第１傾斜面４３ａは、蓋体４が閉じられるときに、この蓋体４の内面に接触する。このとき、第１掛止部３６は、蓋体４と第１接触面との接触によって、蓋体４に押圧されて弾性変形する。これにより、第１掛止爪部４３は、蓋体４を、この蓋体４が閉まる方向（指示基材５に近づく方向）に抵抗なく移動させることを許容する。
【００３８】
第２掛止部３７は、図１、図６、図８〜図１２に示すように、連結部３８において第１掛止部３６が形成された側面とは反対側の側面に形成されている。第２掛止部３７は、第１掛止部３６と同様な第１突出部４１、第２突出部４２を有する。この第２突出部４２には、蓋体４の挿入孔２２，２２に挿入されて蓋体４を掛止する掛止爪部（以下「第２掛止爪部」という）４６が形成されている。
【００３９】
第２掛止部３７の下部には、蓋体４の挿入孔２２，２２の下側の面にその一部が接触する接触面（以下「第２接触面」という）４７が形成されている。この第２接触面４７は、側面視において所定の角度で傾斜する傾斜面となっている。
【００４０】
第２接触面４７は、第１掛止部３６の第１接触面４４のように挿入孔２２，２２の内面に面接触するのではなく、その一部が挿入孔２２，２２の下面２２ａにおける蓋体４の内面側の縁部２２ｂに接触する。すなわち、この第２接触面４７は、挿入孔２２の下面２２ａの縁部２２ｂと線接触可能に構成される。この第２接触面４７は、第２掛止爪部４６の基部（第２掛止部３７の第２突出部４２側の部分をいう）から第２掛止爪部４６の先端に向かうにつれて、挿入孔２２，２２の下面２２ａから徐々に離れるように傾斜して形成される。
【００４１】
換言すれば、この第２接触面４７は、挿入孔２２，２２の貫通方向において、蓋体４の内側（内面側）から外側（外面側）に向かうにつれて、この挿入孔２２，２２の下面２２ａから離れるような傾斜面となっている。
【００４２】
第２接触面４７は、挿入孔２２ａの縁部２２ｂに接触する傾斜面とされていることから、第２掛止部３７によって蓋体４を掛止している場合に、この蓋体４を開く方向に引くと、第２接触面４７は、縁部２２ｂに押されてこの縁部２２ｂから離れるように後退する。このとき、第２掛止部３７の第１突出部４１と第２突出部４２は、第２接触面４７が後退することができるように縁部２２ｂから離れるように弾性変形する。このような構成により、第２掛止部３７は、解除具３４を用いることなく、蓋体４を開く方向に引くだけで、この蓋体４の掛止を解除できるようになっている。
【００４３】
なお、第２掛止部３７の第２掛止爪部４６において、第２接触面４７の上側には、所定の角度で傾斜する平坦面状の傾斜面（以下「第２傾斜面」という）４６ａが形成されている。この第２傾斜面４６ａは、第１掛止部３６の第１傾斜面４３ａと同じ目的で、第２掛止爪部４６に形成されている。
【００４４】
連結部３８は、直方体状に形成されている。この連結部３８には、上下方向に貫通する複数（図例では３つ）の貫通孔３８ａ，３８ａ，３８ａが形成されている。支持基材５の取付部３９には、この貫通孔３８ａに一致するように、複数（図例では３つ）のねじ孔３９ａ，３９ａ，３９ａが形成されている。
【００４５】
連結部３８の下面３８ｂには、取付部３９が嵌められる凹部３８ｃが形成されている。この凹部３８ｃは、前記貫通孔３８ａと繋がるように形成される。なお、この連結部３８の下面３８ｂと、前記第１突出部４１の下面４１ａとは面一になるように形成されている。
【００４６】
本実施形態では、掛止部材３１は、連結部３８の凹部３８ｃに支持基材５の取付部３９を入れ、連結部３８の各貫通孔３８ａ，３８ａ，３８ａを取付部３９の各ねじ孔３９ａ，３９ａ，３９ａに一致させるとともに、貫通孔３８ａを介して、ボルト、ねじ等の固定部材をねじ孔３９ａ，３９ａ，３９ａに螺合させることで、支持基材５に固定される。
【００４７】
前記支持手段３２は、図１に示すように、支持基材５の長手方向の一端部（下部）に形成された２つのブラケット４８，４８と、このブラケット４８から突出する突起部４９とを有する。２つのブラケット４８，４８は、支持基材５の長手方向に直交する幅方向において対向するように設けられている。各突起部４９，４９は、各ブラケット４８，４８の一方の面からブラケット４８，４８の対向方向外方に突出して形成される。突起部４９，４９は、円柱状または円筒状に構成されている。
【００４８】
図７に示すように、蓋体４の内面側には、前記突起部４９，４９が嵌合する円形の穴を有する２つの筒部４ａ，４ａが形成されている。図７では、２つの筒部４ａ，４ａのうちの一方を示すが、他方の筒部４ａは、一方の筒部４ａの突出方向において対向するように蓋体４において、一方の筒部４ａが設けられている側部とは反対側の側部内面に形成されている。蓋体４は、各筒部４ａ，４ａに突起部４９，４９が嵌め込まれることによって支持基材５に対して回動自在に支持される。より具体的には、蓋体４は、前記円形の突起部４９，４９が筒部４ａ，４ａに嵌ることで、この突起部４９，４９に枢支される。
【００４９】
前記保持手段３３は、図１に示すように、支持基材５の一方の面（内面）から突出形成された２つの突起部５０，５０を有する。２つの突起部５０，５０は、支持基材５の長手方向に直交する幅方向において対向するように形成される。各突起部５０，５０の先端部５０ａ，５０ａは、各突起部５０，５０の対向方向内方に向かうように曲がって形成されている。
【００５０】
上記の構成により、各突起部５０，５０の先端部５０ａ，５０ａは、タンク本体２ａに形成された溝部７の下部から係合するように構成される。保持手段３３は、突起部５０，５０の先端部５０ａ，５０ａがタンク本体２ａの溝部７に入るように、各突起部５０，５０の上からタンク本体２ａを下ろすことによって、タンク本体２ａを保持するようになっている。タンク本体２ａは、支持基材５から取り外すには、このタンク本体２ａを上方に移動させて、溝部７に係合している突起部５０，５０から抜き取るようにする。
【００５１】
なお、支持基材５の取付部３９と保持手段３３の間の位置には、この支持基材５の厚さ方向に貫通する複数の貫通孔５ａ，５ａ…が形成されている。支持基材５は、例えば、このソープディスペンサ１が設けられる壁面から突出した突起部や壁面に打ち付けられる釘等の固定部材がこの貫通孔５ａに挿通されることで、この壁面に取り付けられる。
【００５２】
このソープディスペンサ１の蓋体４の開閉構造は、第１掛止部３６による蓋体４の掛止と、第２掛止部３７による蓋体４の掛止の２種類の掛止を選択できる。具体的には、この蓋体４の開閉構造は、掛止部材３１の連結部３８を固定するボルト等の固定手段を取り外し、この掛止部材３１を１８０°反転させて再び掛止部材３１をこの固定手段によって支持基材５に固定することによって、蓋体４を掛止する掛止部（第１掛止部３６、第２掛止部３７）を選択できるようになっている。
【００５３】
以上説明した本実施形態に係る蓋体４の開閉構造及びソープディスペンサ１によれば、第１掛止部３６による蓋体４と掛止と、第２掛止部３７による蓋体４の掛止の２種類の掛止を選択できることから、設置場所の種々の環境や条件に柔軟に適応できるようになる。
【００５４】
例えば、公衆トイレのように、その所有者が常に近くにいないような場所にソープディスペンサ１が設けられる場合には、第１掛止部３６によって、蓋体４を掛止するとともに、この蓋体４を開く場合には、第１掛止部３６による蓋体４の掛止を所定の解除具３４によって解除するようにすれば、第３者による蓋体４の開閉等を抑止することができる。
【００５５】
他方、飲食店のように、その所有者が近くにいる場合のように、第２掛止部３７によって蓋体４を掛止すれば、解除具３４を用いることなく、蓋体４を容易に開くことができ、この点で非常に便利である。
【００５６】
なお、本発明は上記の実施形態に限らず、発明思想を逸脱しない範囲において種々の変更変形が可能である。
【００５７】
例えば、上述した実施形態では、支持基材５に形成された突起部４９，４９を蓋体４の内面に形成された筒部に嵌め込むことで、支持基材５が蓋体４を回動自在に支持するように構成された例を示したが、これに限らず、蓋体４の内面に円柱状又は円筒状の突起部を形成し、支持基材５にこの突起部を嵌合可能な円形穴を有する筒部を形成し、両者を嵌め合わせることで、蓋体４を回動自在にする構成を採用できる。
【００５８】
上記の実施形態では、蓋体４の開閉構造がソープディスペンサ１に適用された例を示したが、ソープディスペンサ１以外の種々の容器類にも本発明を適用できる。
【００５９】
上記の実施形態では、第２掛止部３７の第２接触面４７を傾斜面状に形成した例を示したが、これに限らず、この第２接触面４７を、第２掛止爪部４６の基部から先端に向かうにつれて、挿入孔２２，２２の下面２２ａから徐々に離れるような側面視凸状の湾曲面として形成してもよい。このように形成した場合であっても、湾曲面状とされた第２接触面４７が、挿入孔２２の下面２２ａの縁部２２ｂと線接触することで、蓋体４を適切に掛止できる。
【００６０】
上記の実施形態では、蓋体４に２つの挿入孔２２，２２を形成するとともに、掛止部材３１に、挿入孔２２，２２に挿入可能な２つの第１掛止部３６，３６、及び２つの第２掛止部３７,３７を形成し、さらに、解除具３４に２つの突起部３４ｂ，３４ｂを形成した例を示したが、これらの数は、１、又は３以上の複数であってもよい。
【００６１】
同様に、上記の実施形態では、掛止部材３１の連結部３８に３つの貫通孔３８ａ，３８ａ，３８ａを形成した例を示したが、これに限らず、貫通孔の数を１、２、又は４以上としてもよい。
【００６２】
上記の実施形態では、第１傾斜面４３ａと、第２傾斜面４６ａを平坦面状に形成した例を示したが、これに限らず、これらを凸状の湾曲面状に形成してもよい。
【符号の説明】
【００６３】
１…ソープディスペンサ、２…タンク、２ａ…タンク本体、３…操作部材、４…蓋体、４ａ…筒部、５…支持基材、５ａ…支持基材の貫通孔、７…溝部、８…注入部、９…吐出部、１０…計量部、１１…吐出口部、１２…板部、１３…操作部、１４…固定部、１５…貫通孔、２１…開口部、２２…挿入孔（貫通孔）、２２ａ…挿入孔の下面、２２ｂ…縁部、２６…支持部、２６ａ…ねじ穴、３１…掛止部材、３２…支持手段、３３…保持手段、３４…解除具、３４ａ…把持部、３４ｂ…突起部、３４ｃ…突条部、３６…第１掛止部、３７…第２掛止部、３８…連結部、３８ａ…貫通孔、３８ｂ…連結部の下面、３８ｃ…連結部の凹部、３９…取付部、３９ａ…ねじ孔、４１…第１突出部、４１ａ…第１突出部の下面、４２…第２突出部、４３…第１掛止爪部、４３ａ…第１傾斜面、４４…第１接触面、４６…第２掛止爪部、４６ａ…第２傾斜面、４７…第２接触面、４８…ブラケット、４９…突起部、５０…突起部、５０ａ…突起部の先端部
【図１】
2010269804.tif 000003
【図２】
2010269804.tif 000004
【図３】
2010269804.tif 000005
【図４】
2010269804.tif 000006
【図５】
2010269804.tif 000007
【図６】
2010269804.tif 000008
【図７】
2010269804.tif 000009
【図８】
2010269804.tif 000010
【図９】
2010269804.tif 000011
【図１０】
2010269804.tif 000012
【図１１】
2010269804.tif 000013
【図１２】
2010269804.tif 000014